(57)【要約】【課題】本発明は、一年を通して順序が変動せずに、常に連続二ヶ月分の暦を同時に一覧できるスライド式卓上カレンダーを提供することを課題とする。【解決手段】矩形の厚紙を三つ折りにした側面三角筒状の支持台紙の上縁部に、重ね合わせた奇数月暦葉の上縁部を回動自在な連結リングで綴合した卓上カレンダーと、同形状の支持台紙の上縁部に、重ね合わせた偶数月暦葉の上縁部を回動自在な連結リングで綴合した卓上カレンダーを並列させ、夫々の支持台紙の中空部三内壁に摺接させて三角嵌合筒を挿入することで、前記の両卓上カレンダーを固定支持するとともに該三角嵌合筒を媒介にして左右の卓上カレンダーの入れ替えが自在であることを特徴とするスライド式卓上カレンダーである。【選択図】図２
2005271359.tif 000002
【特許請求の範囲】
【請求項１】
矩形の厚紙を三つ折りにした側面三角筒状の支持台紙の上縁部に、重ね合わせた奇数月暦葉の上縁部を回動自在な連結リングで綴合した卓上カレンダーと、同形状の支持台紙の上縁部に、重ね合わせた偶数月暦葉の上縁部を回動自在な連結リングで綴合した卓上カレンダーを並列させ、夫々の支持台紙の中空部三内壁に摺接させて三角嵌合筒を挿入することで、前記の両卓上カレンダーを固定支持するとともに該三角嵌合筒を媒介にして左右の卓上カレンダーの入れ替えが自在であることを特徴とするスライド式連続卓上カレンダー。
【請求項２】
前記の三角嵌合筒に代えて、並列させた二つの卓上カレンダー支持台紙の中空部三内壁の内、支持台紙底面を含む二面に摺接する、側面略Ｌ形状のＬ形嵌入紙葉を挿入することで、前記の両卓上カレンダーを固定支持するとともに該Ｌ形嵌入紙葉を媒介にして左右の卓上カレンダーの入れ替えが自在であることを特徴とする請求項１に記載のスライド式連続卓上カレンダー。
【発明の詳細な説明】
【技術分野】
【０００１】
本発明は一年を通して順序が変動せずに、常に連続する二ヶ月分の暦を同時に一覧できるスライド式連続卓上カレンダーに関するものである。
【背景技術】
【０００２】
従来から捲り式二ヶ月卓上カレンダーは、矩形の厚紙を三つ折りにした側面三角筒状の支持台紙の上縁部に、重ね合わせた任意枚数の暦葉の上縁部を回動自在な連結リングで綴合し、該暦葉の表裏に、連続する二か月分の暦を記載し、卓上カレンダーの前面と後面で二ヶ月分の暦を表示するものが多い。
【０００３】
しかしながら、卓上カレンダーは単に日付と曜日を確認するだけでなく、予定表として使われることも多く、そのためには常に近い将来の暦が一覧できる必要があるにも拘わらず、前記の捲り式二ヶ月卓上カレンダーでは、一年の内に当月と次月が表示される期間と、前月と当月が表示される期間が交互に訪れ、特に後者の場合には予定表としての機能が著しく落ちるという欠点があった。
【０００４】
そこでこの欠点を解消するために、例えば図５に示すように、一年を通して常に当月と次月の連続する二ヶ月分の暦を同時に一覧できる捲り式二ヶ月卓上カレンダーも提案されている。（特許文献１参照）
【特許文献１】登録実用新案第３０２８２２３号確かに、登録実用新案第３０２８２２３号公報の図１に示される卓上カレンダーは、一年を通して常に当月と次月の連続する二ヶ月分の暦を一覧できるが、偶数月から始まる二ヶ月は月の並びが逆転するので、使用上の違和感から使い辛いという難点が発生する。
【発明の開示】
【発明が解決しようとする課題】
【０００５】
そこで本発明は、一年を通して当月と次月の順序が変動せずに、常に連続する二ヶ月分の暦を同時に一覧できるスライド式連続卓上カレンダーを提供することを課題とする。
【課題を解決するための手段】
【０００６】
本発明は、上記の課題を解決するために提案されたものであり、矩形の厚紙を三つ折りにした側面三角筒状の支持台紙の上縁部に、重ね合わせた奇数月暦葉の上縁部を回動自在な連結リングで綴合した卓上カレンダーと、同形状の支持台紙の上縁部に、重ね合わせた偶数月暦葉の上縁部を回動自在な連結リングで綴合した卓上カレンダーを並列させ、夫々の支持台紙の中空部三内壁に摺接させて三角嵌合筒を挿入することで、前記の両卓上カレンダーを固定支持するとともに該三角嵌合筒を媒介にして左右の卓上カレンダーの入れ替えが自在であることを特徴とするスライド式卓上カレンダーである。
【発明の効果】
【０００７】
本発明の嵌合式卓上カレンダーは、矩形の厚紙を三つ折りにした側面三角筒状の支持台紙の上縁部に、重ね合わせた奇数月暦葉の上縁部を回動自在な連結リングで綴合した卓上カレンダーと、同形状の支持台紙の上縁部に、重ね合わせた偶数月暦葉の上縁部を回動自在な連結リングで綴合した卓上カレンダーを並列させ、夫々の支持台紙の中空部三内壁に摺接させて三角嵌合筒を挿入することで、前記の両卓上カレンダーを固定支持するとともに該三角嵌合筒を媒介にして左右の卓上カレンダーの入れ替えが自在であるため、当月の暦を有する卓上カレンダーを左側に配置し、次月の暦を有する卓上カレンダーを右側に配置すれば、一年を通して順序が変動せずに、常に当月と次月の連続二ヶ月分の暦を同時に一覧することができ、予定表として優れた機能と効果を発揮することができる。
【発明を実施するための最良の形態】
【０００８】
本発明の最良の実施形態を図面に基づき説明する。
【実施例】
【０００９】
図１は、本発明のスライド式卓上カレンダーの構成部材を示す説明図であり、（Ａ）は奇数月卓上カレンダー１の斜視図、（Ｂ）は偶数月卓上カレンダー２の斜視図、（Ｃ）は三角嵌合筒３を示す図である。図１（A）において、奇数月卓上カレンダー１は、公知の手段であるが、矩形の厚紙を三つ折りにした側面三角筒状の支持台紙４の上縁部に、一月暦葉５をはじめとして重ね合わされた奇数月暦葉の上縁部を回動自在な連結リング６で綴合してあり、支持台紙底面７の中央には内側に折り畳むための中央折り線８が横手方向に設けられている。
【００１０】
さらに図１（B）の偶数月卓上カレンダー２は、（A）と同形状の矩形の厚紙を三つ折りにした側面三角筒状の支持台紙４´の上縁部に、二月暦葉９をはじめとして重ね合わされた偶数月暦葉の上縁部を回動自在な連結リング６´で綴合してあり、支持台紙底面７´の中央には内側に折り畳むための中央折り線８´が横手方向に設けられている。
【００１１】
また、図１（C）の三角嵌合筒３は、側面三角筒形状であり、前記支持台紙４、４´と同質の厚紙からなり、並列させた該支持台紙４、４´の中空部三内壁に摺接する大きさであり、一方の傾斜面１０には、該三角嵌合筒が略平面に折り畳める位置に谷折り線１１が設けられてあり、嵌合筒底面１２の左右両端中央には、前記二つの卓上カレンダーと該三角嵌合筒３の出し入れを容易にするための摘まみカット部１３が設けられている。
【００１２】
図２は、図１のカレンダーにおける使用状態の説明図であり、（Ａ）は一月から二ヶ月分の使用状態の斜視図であり、（Ｂ）は二月から二ヶ月分の使用状態の斜視図である。図２（Ａ）において、一月暦葉５を有する奇数月卓上カレンダー１を左側に、二月暦葉９を有する偶数月卓上カレンダー２を右側に並列配置し、夫々の支持台紙４、４´の中空部三内壁に摺接させて三角嵌合筒３を挿入することで、一月暦葉５と二月暦葉９の連続する二ヶ月分の暦を同時に一覧できる。
【００１３】
また、前記三角嵌合筒３を摺接挿入することで、二つの卓上カレンダーの中央折り線８、８´で屈折弛緩していた支持台紙底面７、７´が平面状態にまで押圧され、全体としてあたかも支持台紙４、４´が繋がった一つの卓上カレンダーのように固定支持されるので、机上への載置が安定し快適に使用できる。尚、該三角嵌合筒３の左右の長さを適当に短くすることによって、二つの卓上カレンダーを固定支持する機能を損なわず、しかも前記摘みカット部１３を省略することもできる。
【００１４】
次に、図２（Ｂ）において、１月終了時点で一月暦葉５を有する奇数月卓上カレンダー１を三角嵌合筒３から外し、二月暦葉９を有する偶数月卓上カレンダー２を左側にスライドした上で、空いた三角嵌合筒３の右側を前記奇数月卓上カレンダー１の支持台紙４に摺接挿入して、連結リング６を支点に一月暦葉５を後に捲り送れば三月暦葉１４が現れ、直ちに二月暦葉９と三月暦葉１４の連続する二ヶ月分の暦を同時に一覧できる。以後毎月同様の作業を繰り返すことで、一年を通して順序が変動せずに、常に当月と次月の連続する二ヶ月分の暦を同時に一覧することができる。
【００１５】
図３は、当該嵌合式卓上連続カレンダーの折り畳んだ状態の斜視図である。奇数月卓上カレンダー１及び偶数月卓上カレンダー２は支持台紙底面７、７´の中央折り線８、８´を下方より押圧し、支持台紙４、４´を扁平に折り畳む。また三角嵌合筒３は、一方の傾斜面１０に設けた谷折り線１１を押圧することで扁平に折り畳めば、上記卓上カレンダー１、２を扁平に折り畳んで並列させた大きさと略同形状になり、包装及び流通や保管に効率的である。                                    
【００１６】
図４は、本発明の嵌合式卓上カレンダーの別の実施例を示す斜視図である。当該スライド式卓上カレンダーの嵌合材としては、必ずしも側面三角筒の形状を必要としない。例えば、図４の通り前記三角嵌合筒３と同質の厚紙からなり、並列させた卓上カレンダー支持台紙４、４´の中空部三内壁の内、支持台紙底面７、7´を含む二面に摺接する、側面略Ｌ形状をしたＬ形嵌入紙葉１５でも十分に二つの卓上カレンダーを固定支持するとともに該Ｌ形嵌入紙葉１５を媒介にして左右の卓上カレンダーの入れ替えも自在にでき、構造的にも至ってシンプルなことから容易かつ安価に製作することができる。
【００１７】
また、上記の実施例では、一枚の暦葉の表面のみに一ヶ月分の暦を記載しているが、一枚の暦葉に記載すべき暦は必ずしも一ヶ月分と限定されるものではなく、図示は省略したが例えば奇数月及び偶数月の暦葉を夫々三枚構成とし、一枚の暦葉の表裏に二ヶ月分の暦を記載することにより、暦葉枚数を少なくしつつ、一年を通して順序が変動せずに、常に連続する二ヶ月分の暦を同時に一覧できるスライド式卓上カレンダーを得ることができる。
【図面の簡単な説明】
【００１８】
【図１】本発明のスライド式卓上カレンダーの構成部材を示す説明図である。
【図２】図１のカレンダーにおける使用状態の説明図である。
【図３】当該スライド式卓上カレンダーの折り畳んだ状態の斜視図である。
【図４】当該スライド式卓上カレンダーの別の実施例を示す斜視図である。
【図５】従来の二ヶ月卓上カレンダーの一例を示す斜視図である。
【符号の説明】
【００１９】
１  奇数月卓上カレンダー
２  偶数月卓上カレンダー
３  三角嵌合筒
４、４´  支持台紙
５  一月暦葉
６、６´  連結リング    
７、７´  支持台紙底面
８、８´  中央折り線
９  二月暦葉
１０  傾斜面
１１  谷折り線
１２  嵌合筒底面
１３  摘まみカット部
１４  三月暦葉
１５  Ｌ形嵌入紙葉
【図１】
2005271359.tif 000003
【図２】
2005271359.tif 000004
【図３】
2005271359.tif 000005
【図４】
2005271359.tif 000006
【図５】
2005271359.tif 000007